(57)【要約】  【課題】  光ディスクに不具合が発生した場合や、ファームウェアに不具合が発生した場合でも、不具合の原因を容易に解析することが可能な光ディスク記録再生装置を提供する。  【解決手段】  タイトル名を記録するための領域が６４バイト用意されている光ディスク１に対して、前記６４バイトの領域のうち、英数字で最大３０文字のタイトル名をディスプレイ装置２０に表示できるようにした領域の残りの領域に、制御情報記録処理手段２２１は、少なくとも、フロントエンドのファームウェアのバージョン情報、バックエンドのファームウェアのバージョン情報、当該装置のシリアルナンバー情報を、不具合が発生したときに解析に用いられる制御情報として記録させる。そして、テストモードに入ったときに、制御情報呼出手段２２２は、前記残りの領域に記録された制御情報も呼び出して表示させる。【選択図】      図１
2006066034.tif 000002
【特許請求の範囲】
【請求項１】
光ディスクに対して情報の記録／再生を行う光ディスク記録再生装置において、タイト
ル名を記録するための領域が６４バイト用意されている光ディスクに対して、前記６４バ
イトの領域のうち、英数字で最大３０文字のタイトル名を表示部に表示できるようにした
領域の残りの領域に、少なくとも、フロントエンドのファームウェアのバージョン情報、
バックエンドのファームウェアのバージョン情報、当該装置のシリアルナンバー情報を、
不具合が発生したときに解析に用いられる制御情報として記録させる制御情報記録処理手
段と、テストモードに入ったときに前記残りの領域に記録された制御情報も呼び出して前
記表示部に表示させる制御情報呼出手段とを有するシステムコントローラを備えたことを
特徴とする光ディスク記録再生装置。
【請求項２】
光ディスクに対して情報の記録／再生を行う光ディスク記録再生装置において、タイト
ル名を記録するための領域が所定バイト用意されている光ディスクに対して、前記所定バ
イトの領域のうち、所定文字数でタイトル名を表示部に表示できるようにした領域の残り
の領域に、不具合が発生したときに解析に用いられる制御情報を記録させておき、テスト
モードに入ったときに前記残りの領域に記録された制御情報も呼び出して前記表示部に表
示させる制御を行うシステムコントローラを備えたことを特徴とする光ディスク記録再生
装置。
【請求項３】
前記所定バイトは６４バイトであり、前記所定文字数は英数字で最大３０文字であるこ
とを特徴とする請求項２に記載の光ディスク記録再生装置。
【請求項４】
前記制御情報とは、少なくとも、フロントエンドのファームウェアのバージョン情報、
バックエンドのファームウェアのバージョン情報、当該装置のシリアルナンバー情報であ
ることを特徴とする請求項２に記載の光ディスク記録再生装置。
【請求項５】
前記システムコントローラは、所定バイトの領域のうち、所定文字数でタイトル名を表
示部に表示できるようにした領域の残りの領域に、不具合が発生したときに解析に用いら
れる制御情報を記録させる制御情報記録処理手段と、テストモードに入ったときに前記残
りの領域に記録された制御情報も呼び出して前記表示部に表示させる制御情報呼出手段と
を有することを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し
、特に、光ディスクに記録された情報のタイトル名を表示できる機能を有する光ディスク
記録再生装置に関する。
【背景技術】
【０００２】
従来から、光ディスク記録再生装置では、例えばテレビ番組を光ディスクに記録した場
合、光ディスクに何を記録したかを後で容易に認識できるように、記録内容や記録日時な
どを示す情報をタイトル名として光ディスクに記録するようにしている。このようなタイ
トル名を記録する光ディスク上の記録領域としては６４バイト（英数字で６４文字、平仮
名の場合は３２文字）用意されているが、タイトル名は英数字で最大３０文字表示に制限
されている場合もある。
【特許文献１】特開２００２−１７６６１２号公報
【特許文献２】特開２００３−３０９６５号公報
【特許文献３】特開２００４−１２８７７４号公報
【発明の開示】
【発明が解決しようとする課題】
【０００３】
しかしながら、従来の光ディスク記録再生装置においては、光ディスクに不具合が発生
した場合や、装置のファームウェアに不具合が発生した場合に、この光ディスクの情報は
、どのバージョンで記録されたものであるかを判別するための情報などを有していないの
で、光ディスクやファームウェアに不具合が発生した場合に対処することができないとい
う課題があった。
【０００４】
特許文献１の従来技術では、磁気テープにダビングしたテレビ番組のタイトル、放送日
時、録画時間などのタイトル情報を形成するタイトル情報形成手段を有しているが、この
従来技術は光ディスクに対して情報の記録／再生を行う光ディスク記録再生装置ではなく
、また、光ディスクに不具合が発生した場合や、ファームウェアに不具合が発生した場合
の対処については開示されていない。
【０００５】
特許文献２の従来技術では、タイトル情報記録領域には記録再生部が読み出したＵＴＯ
Ｃ情報のうち、ディスクタイトルおよび曲名のタイトルを示すタイトル情報が記録される
ようになっているが、光ディスクに不具合が発生した場合や、ファームウェアに不具合が
発生した場合の対処については開示されていない。
【０００６】
特許文献３の従来技術では、タイトル情報はタイトルエレメントを含み、このタイトル
エレメントはポインタ情報および識別情報を含むということであるが、光ディスクに不具
合が発生した場合や、ファームウェアに不具合が発生した場合の対処については開示され
ていない。
【０００７】
本発明は、上記のような課題を解決するためになされたもので、光ディスクに不具合が
発生した場合や、装置のファームウェアに不具合が発生した場合でも、不具合の原因を容
易に解析することが可能な光ディスク記録再生装置を提供することを目的とする。
【課題を解決するための手段】
【０００８】
上記目的を達成するために、請求項１の発明は、タイトル名を記録するための領域が６
４バイト用意されている光ディスクに対して、前記６４バイトの領域のうち、英数字で最
大３０文字のタイトル名を表示部に表示できるようにした領域の残りの領域に、少なくと
も、フロントエンドのファームウェアのバージョン情報、バックエンドのファームウェア
のバージョン情報、当該装置のシリアルナンバー情報を、不具合が発生したときに解析に
用いられる制御情報として記録させる制御情報記録処理手段と、テストモードに入ったと
きに前記残りの領域に記録された制御情報も呼び出して前記表示部に表示させる制御情報
呼出手段とを有するシステムコントローラを備えた光ディスク記録再生装置を提供する。
【０００９】
この構成において、タイトル名を記録するための領域が６４バイト用意されている光デ
ィスクに対して、前記６４バイトの領域のうち、英数字で最大３０文字のタイトル名を表
示部に表示できるようにした領域の残りの領域に、制御情報記録処理手段は、少なくとも
、フロントエンドのファームウェアのバージョン情報、バックエンドのファームウェアの
バージョン情報、当該装置のシリアルナンバー情報を、不具合が発生したときに解析に用
いられる制御情報として記録させる。そして、テストモードに入ったときに、制御情報呼
出手段は、前記残りの領域に記録された制御情報も呼び出して前記表示部に表示させる。
【００１０】
この構成によれば、光ディスクに不具合が発生した場合や、装置のファームウェアに不
具合が発生した場合でも、表示部に制御情報も表示できるので、不具合の原因を容易に解
析することが可能になる。
【００１１】
請求項２の発明は、タイトル名を記録するための領域が所定バイト用意されている光デ
ィスクに対して、前記所定バイトの領域のうち、所定文字数でタイトル名を表示部に表示
できるようにした領域の残りの領域に、不具合が発生したときに解析に用いられる制御情
報を記録させておき、テストモードに入ったときに前記残りの領域に記録された制御情報
も呼び出して前記表示部に表示させる制御を行うシステムコントローラを備えたことを特
徴とする光ディスク記録再生装置を提供する。
【００１２】
この構成において、タイトル名を記録するための領域が所定バイト用意されている光デ
ィスクに対して、前記所定バイトの領域のうち、所定文字数でタイトル名を表示部に表示
できるようにした領域の残りの領域に、不具合が発生したときに解析に用いられる制御情
報を記録させておく。そして、テストモードに入ったとき、前記残りの領域に記録された
制御情報も呼び出され、前記表示部に表示される。
【００１３】
この構成によれば、光ディスクに不具合が発生した場合や、装置のファームウェアに不
具合が発生した場合でも、表示部に制御情報も表示できるので、不具合の原因を容易に解
析することが可能になる。
【００１４】
請求項３の発明では、請求項２の発明において、前記所定バイトは６４バイトであり、
前記所定文字数は英数字で最大３０文字であるので、タイトル名の記録領域が６４バイト
で、タイトル名の最大文字数が英数字で３０文字である光ディスクに適用できる。
【００１５】
請求項４の発明では、請求項２の発明において、前記制御情報とは、少なくとも、フロ
ントエンドのファームウェアのバージョン情報、バックエンドのファームウェアのバージ
ョン情報、当該装置のシリアルナンバー情報であるので、光ディスクやファームウェアに
不具合が発生した場合に、不具合の原因を解析するのに役立てることができる。
【００１６】
請求項５の発明では、請求項２の発明において、前記システムコントローラは、所定バ
イトの領域のうち、所定文字数でタイトル名を表示部に表示できるようにした領域の残り
の領域に、不具合が発生したときに解析に用いられる制御情報を記録させる制御情報記録
処理手段と、テストモードに入ったときに前記残りの領域に記録された制御情報も呼び出
して前記表示部に表示させる制御情報呼出手段とを有するので、テストモードに入ると、
制御情報も表示することが可能になる。
【発明の効果】
【００１７】
以上のように本発明によれば、タイトル名を記録するための領域が６４バイト用意され
ている光ディスクに対して、前記６４バイトの領域のうち、英数字で最大３０文字のタイ
トル名を表示部に表示できるようにした領域の残りの領域に、少なくとも、フロントエン
ドのファームウェアのバージョン情報、バックエンドのファームウェアのバージョン情報
、当該装置のシリアルナンバー情報を、不具合が発生したときに解析に用いられる制御情
報として記録させる制御情報記録処理手段と、テストモードに入ったときに前記残りの領
域に記録された制御情報も呼び出して前記表示部に表示させる制御情報呼出手段とを有す
るシステムコントローラを備えたので、光ディスクに不具合が発生した場合や、装置のフ
ァームウェアに不具合が発生した場合でも、表示部に制御情報も表示でき、これにより、
不具合の原因を容易に解析することが可能になる。
【００１８】
また、本発明によれば、タイトル名を記録するための領域が所定バイト用意されている
光ディスクに対して、前記所定バイトの領域のうち、所定文字数でタイトル名を表示部に
表示できるようにした領域の残りの領域に、不具合が発生したときに解析に用いられる制
御情報を記録させておき、テストモードに入ったときに前記残りの領域に記録された制御
情報も呼び出して前記表示部に表示させる制御を行うシステムコントローラを備えたので
、光ディスクに不具合が発生した場合や、装置のファームウェアに不具合が発生した場合
でも、表示部に制御情報も表示でき、これにより、不具合の原因を容易に解析することが
可能になる。
【発明を実施するための最良の形態】
【００１９】
以下、添付図面を参照しつつ、本発明の実施の形態について説明する。図１は本発明の
一実施形態に係る光ディスク記録再生装置の構成を示すブロック図である。この光ディス
ク記録再生装置は、光ディスク１を回転させるスピンドルモータ５と、光ディスク１に記
録された情報を再生するためのレーザ光を出射すると共に光ディスク１からの反射光を受
光する光ピックアップ２と、この光ピックアップ２を光ディスク１の半径方向に移動させ
るためのスレッド３と、システムコントローラ２２の指示に応じてスピンドルモータ５お
よびスレッド３を駆動すると共に光ピックアップ２に内蔵された対物レンズ（図示せず）
を動かすことによりレーザ光の焦点位置を光ディスク１の記録面に対して垂直方向および
水平方向に移動させる制御を行うサーボ制御部４とを備えている。
【００２０】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２１】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２２】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２３】
また、この光ディスク記録再生装置は、システムコントローラ２２に対して、再生指示
を与えるための再生キーや、再生停止を指示するための停止キーなどの各種操作キーを有
する操作部２１と、装置全体を制御する前記システムコントローラ２２とを備えている。
なお、操作部２１は、リモートコントローラであっても良いし、装置本体の操作パネルに
設けられた操作部であっても良い。
【００２４】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４とを備えている。
【００２５】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００２６】
また、システムコントローラ２２は、タイトル名を記録するための領域が６４バイト用
意されている光ディスク１に対して、前記６４バイトの領域のうち、英数字で最大３０文
字のタイトル名をディスプレイ装置２０に表示できるようにした領域の残りの領域に、少
なくとも、フロントエンドのファームウェアのバージョン情報、バックエンドのファーム
ウェアのバージョン情報、当該装置のシリアルナンバー情報を、不具合が発生したときに
解析に用いられる制御情報として記録させる制御情報記録処理手段２２１と、テストモー
ドに入ったときに前記残りの領域に記録された制御情報も呼び出してディスプレイ装置９
に表示させる制御情報呼出手段２２２とを有する。
【００２７】
図２は本実施形態においてタイトル名を含む内容がディスプレイ装置２０に表示されて
いる一例を示す表示画面図である。この表示画面おいて、下から２番目の表示領域には、
タイトル名「７／２０  ＰＭ２：０９  ４ＣＨ    ＸＰ」と、制御情報としての制御デー
タ「Ｂ２３４５  Ｆ０１０１  Ｌ１２３４５６  Ｐ２６．７」が表示されている。このタ
イトル名「７／２０  ＰＭ２：０９  ４ＣＨ  ＸＰ」は、７月２０日  午後２時９分から
記録した４チャンネルの番組ＸＰを示す。制御データ「Ｂ２３４５  Ｆ０１０１  Ｌ１２
３４５６  Ｐ２６．７」において、Ｂ２３４５はバックエンドのファームウェアのバージ
ョン情報、Ｆ０１０１はフロントエンドのファームウェアのバージョン情報、Ｌ１２３４
５６は当該装置（ローダー）のシリアルナンバー情報、Ｐ２６．７はレーザパワーの出力
（ｍＶ）を示す。
【００２８】
図３は本実施形態の光ディスクにおいてタイトル名を記録するための領域を示す図であ
る。この図３において、タイトル名を記録するための領域は６４バイトであり、この６４
バイトの領域のうち、英数字で最大３０文字のタイトル名をディスプレイ装置２０に表示
できるようにした領域の残りの領域に、少なくとも、フロントエンドのファームウェアの
バージョン情報、バックエンドのファームウェアのバージョン情報、当該装置のシリアル
ナンバー情報などを、不具合が発生したときに解析に用いられる制御情報（制御データ）
として記録する。なお、６４バイトは、英数字で６４文字に相当し、平仮名では３２文字
に相当する。
【００２９】
この図３に示す例では、タイトル名が「７／２０  ＰＭ２：０９  ４ＣＨ  ＸＰ」であ
ることを示し、不具合が発生したときに解析に用いられる制御情報としての制御データが
「Ｂ２３４５  Ｆ０１０１  Ｌ１２３４５６  Ｐ２６．７」であること示す。前述したよ
うに、Ｂ２３４５はバックエンドのファームウェアのバージョン情報、Ｆ０１０１はフロ
ントエンドのファームウェアのバージョン情報、Ｌ１２３４５６は当該装置（ローダー）
のシリアルナンバー情報、Ｐ２６．７はレーザパワーの出力（ｍＶ）を示す。
【００３０】
図４は本実施形態における記録処理を説明するためのフローチャートである。このフロ
ーチャートを参照して本実施形態における記録処理について説明する。
【００３１】
この光ディスク記録再生装置における操作部２１の記録キー（ＲＥＣキー）が押下され
、記録処理が開始すると（ステップＳ１）、例えば、テレビジョン受信機から送られてき
た映像音声データ（ビデオデータおよび音声データ）が記録データ変調回路２５により変
調され、この変調された変調データに基づいて光ピックアップ２から出射するレーザ光が
レーザ変調回路２６により変調される。そして、変調されたレーザ光は光ディスク１の記
録面に照射され、ビデオデータおよび音声データの光ディスク１に対する書き込みが行わ
れる（ステップＳ２）。
【００３２】
ここで、操作部２１の停止キーが押下されると（ステップＳ３）、ビデオデータおよび
音声データの書き込みが停止される（ステップＳ４）。次に、光ディスク１や装置のファ
ームウェアに対して、不具合が発生したときに解析に用いられる制御情報としての制御デ
ータの書き込み、およびタイトル名の書き込みが行われる（ステップＳ５）。
【００３３】
タイトル名が、例えば、「７／２０  ＰＭ２：０９  ４ＣＨ  ＸＰ」であった場合、図
３に示すように、光ディスク上の６４バイトの領域のうち、英数字で最大３０文字のタイ
トル名を表示部に表示できるようにした領域に「７／２０  ＰＭ２：０９  ４ＣＨ  ＸＰ
」が記録される。また、制御情報としての制御データが、例えば、「Ｂ２３４５  Ｆ０１
０１  Ｌ１２３４５６  Ｐ２６．７」がであった場合、光ディスク上の６４バイトの領域
のうち、英数字で最大３０文字のタイトル名をディスプレイ装置２０に表示できるように
した領域の残りの領域に「Ｂ２３４５  Ｆ０１０１  Ｌ１２３４５６  Ｐ２６．７」が記
録される。
【００３４】
図５は本実施形態においてタイトル名の呼び出し処理を説明するためのフローチャート
である。このフローチャートを参照して本実施形態におけるタイトル名の呼び出し処理に
ついて説明する。
【００３５】
この光ディスク記録再生装置に光ディスク１が装填され、光ディスク記録再生装置は、
光ディスク１に対する再生処理を開始して光ディスク１から情報を読み込んだとき（ステ
ップＮ１）、システムコントローラ２２はテストモードがオンしているか否かを判定し（
ステップＮ２）、オンしていれば、このときに操作部２１のタイトルキーを押下すれば（
ステップＮ５）、例えば、図３に示す領域からタイトル名および制御データの呼び出しを
行って６４文字でディスプレイ装置２０に表示する処理を行う（ステップＮ６）。
【００３６】
即ち、システムコントローラ２２は、テストモードに入ったとき、６４バイトの領域の
うち、英数字で最大３０文字のタイトル名をディスプレイ装置２０に表示できるようにし
た領域の残りの領域に記録された制御データも、制御情報呼出手段２２２により呼び出し
てディスプレイ装置２０に表示させる。したがって、この光ディスク記録再生装置のメー
カの技術者は、ディスプレイ装置２０に表示されたタイトル名および制御データを見るこ
とにより、光ディスク１や装置のファームウェアに不具合が発生した場合の解析に役立て
ることができる。
【００３７】
一方、テストモードがオンでないと判定された場合（ステップＮ２）、即ち、テストモ
ードに入っていない場合、タイトルキーを押下すると、例えば、図３に示すような領域に
対してタイトル名の呼び出しを行って、タイトル名を３０文字以内でディスプレイ装置２
０に表示する処理を行う（ステップＮ６）。即ち、ユーザが使用するタイトル表示モード
となる。
【００３８】
以上説明した実施形態では、光ディスクに対して、タイトル毎に制御情報が入っている
ので、例えば、或るタイトルについて、当該光ディスク記録再生装置で認識したが、別の
光ディスク記録再生装置では認識せずに、不具合になった場合に、この別の光ディスク記
録再生装置は、不具合の原因の虞があるファームウェアのバージョンやローダー（この装
置）のシリアルナンバーなどを必要とするので、制御情報を呼び出してディスプレイ装置
に表示すれば、解析を容易に行うことが可能になる。
【００３９】
なお、フルに６４文字表示する光ディスク記録再生装置も実現できるが、このような光
ディスク記録再生装置の場合は、制御情報が表示されても当該技術者以外は分らないよう
に制御情報を暗号化することもできる。例えば、メーカＡ社の光ディスク記録再生装置で
６４文字全て表示できるものがあった場合、メーカＢ社の光ディスク記録再生装置で記録
して再生する場合は、ユーザは３０文字以内でしかタイトル名として使用できなくて、３
０文字の後ろに、制御情報を入れることができるが、メーカＡ社の光ディスク記録再生装
置で使用する場合は、テストモードにしなくても、６４文字全て表示できるので、制御情
報を暗号化すればメーカＡ社の技術者以外のものに制御情報が知られるようなことはなく
なる。
【図面の簡単な説明】
【００４０】
【図１】本発明の一実施形態に係る光ディスク記録再生装置の構成を示すブロック図である。
【図２】前記実施形態においてタイトル名を含む内容がディスプレイ装置に表示されている一例を示す表示画面図である。
【図３】前記実施形態の光ディスクにおいてタイトル名を記録するための領域を示す図である。
【図４】前記実施形態における記録処理を説明するためのフローチャートである。
【図５】前記実施形態においてタイトル名の呼び出し処理を説明するためのフローチャートである。
【符号の説明】
【００４１】
１    光ディスク
２２    システムコントローラ
２２１    制御情報記憶処理手段
２２２    制御情報呼出手段
【図１】
2006066034.tif 000003
【図２】
2006066034.tif 000004
【図３】
2006066034.tif 000005
【図４】
2006066034.tif 000006
【図５】
2006066034.tif 000007